(57)【要約】【課題】複数の目的に使用でき、かつその目的を同時に達成できると共に、コンパクトにして持ち運び、保管でき、しかも全体処理による使用と局所処理による使用に適している送風式薬剤放散装置とする。【解決手段】吸込口１１と吐出口１２と第１の薬剤１５を有した装置本体１に、第２の薬剤２４を有した放出体２をヒンジ３で収納姿勢と張り出し姿勢とに亘って回動自在に取付け、その放出体２を収納姿勢、張り出し姿勢としてファン１３を駆動することで第１の薬剤１５の薬剤を含有した空気が吐出口１２から放出体２内に流れ、第１の薬剤１５の薬剤と第２の薬剤２４の薬剤を大気に放散し、前記放出体２を収納姿勢とすることで装置本体１と重なり合ってコンパクトになるようにした送風式薬剤放散装置。【選択図】図１
2008278770.tif 000002
【特許請求の範囲】
【請求項１】
吸込口１１と、吐出口１２と、第１の薬剤１５を有すると共に、ファン１３を備え、このファン１３を駆動することで前記吸込口１１から空気を吸い込んで第１の薬剤１５の薬剤を含有した空気を吐出口１２から吐出する装置本体１と、
流入口２０と流出口２１が流路２２で連通され、その流路２２に第２の薬剤２４が設けてあり、前記装置本体１に収納姿勢と張り出し姿勢に回動自在にヒンジ３で取付けた放出体２とを備え、
前記放出体２が収納姿勢の時には、その放出体２は装置本体１に重なり合い、その放出体２の流出口２１が装置本体１の近くに位置すると共に、前記装置本体１の吐出口１２が放出体２の流入口２０に連通し、
前記放出体２が張り出し姿勢の時には、前記装置本体１の吐出口１２と放出体２の流入口２０が連通し、その放出体２の流出口２１が装置本体１から離隔した位置となるようにしたことを特徴とする送風式薬剤放散装置。
【請求項２】
装置本体１に放出体２をヒンジ３で、収納姿勢と張り出し姿勢とに亘って上下回動自在に取付け、
前記ヒンジ３は、屈曲可能な筒形状で、その一端開口部が装置本体１の吐出口１２と連通し、他端開口部が放出体２の流入口２０と連通している請求項１記載の送風式薬剤放散装置。
【請求項３】
装置本体１に放出体２をヒンジ３で、収納姿勢と張り出し姿勢とに亘って水平方向に回動自在に取付け、
前記ヒンジ３は、放出体２が収納姿勢の時及び張り出し姿勢の時に吐出口１２と流入口２０を連通する形状である請求項１記載の送風式薬剤放散装置。
【請求項４】
装置本体１に放出体２をヒンジ３で、収納姿勢と張り出し姿勢とに亘って上下回動自在に取付け、
前記ヒンジ３は、放出体２が収納姿勢の時及び張り出し姿勢の時に吐出口１２と流入口２０を連通する形状である請求項１記載の送風式薬剤放散装置。
【請求項５】
放出体２の流路２２に、第２の薬剤２４を、その第２の薬剤２４の表面に沿って空気が流通するように取付けした請求項１〜４いずれか１項に記載の送風式薬剤放散装置。
【発明の詳細な説明】
【技術分野】
【０００１】
本発明は、快適な居住空間を得るために、害虫の防除、悪臭の消臭、芳香消臭、芳香、又は防菌や防黴、などの目的に供する揮散性の薬剤を大気に放散する送風式薬剤放散装置に関する。
【背景技術】
【０００２】
従来から快適な生活空間を得るために、芳香剤、消臭剤、除菌剤、殺虫剤、害虫忌避剤等の揮散性薬剤を気中に放散させ、香りを楽しんだりニオイを消したり、あるいは害虫を防除する等している。
これら揮散性薬剤を気中に放散させるものとしては、昨今、ファンを用いた送風式薬剤放散装置が芳香剤等の揮散性薬剤を短時間で拡散できる利便性から多くの提案がされている。
この送風式薬剤放散装置は、装置内に形成した吸込口と吐出口との気流通路にファンを具備したものであって、その吸込口、または吐出口に薬剤取付部を設け、その薬剤取付部に揮散性薬剤を保持した薬剤保持体を配設し、ファンの回転により発生する気流に揮散性薬剤を乗せ、吐き出し口から気中に放散するものである。
【０００３】
前述の送風式薬剤放散装置は、個々の目的に応じた単一薬剤を利用したものであり、例えば芳香用、消臭用、または飛翔害虫用、匍匐害虫用等とそれぞれ専用の送風式薬剤放散装置である。
このために、それぞれの目的に応じた送風式薬剤放散装置を準備する必要がある。もし１台の送風式薬剤放散装置で、複数の目的に使用することができ、かつその目的を同時に達成できれば便利である。
【０００４】
前述の複数の目的に使用することができ、かつその複数の目的を同時に達成できる送風式薬剤放散装置が特許文献１に開示されている。
この送風式薬剤放散装置は、送風機を備えた装置本体の吸込口と吐出口とに薬剤保持体をそれぞれ設け、送風機を駆動することで各々の薬剤保持体の揮散性の薬剤を大気に放散するようにしてある。
【０００５】
【特許文献１】特開２００３−３０４７９１号公報
【発明の開示】
【発明が解決しようとする課題】
【０００６】
前述の従来の送風式薬剤放散装置は、装置本体に２つの薬剤取付部を有しているから、装置本体が大型化し、持ち運びが困難であり、いろいろな場所で複数の目的に使用するために持ち運びすることが多いので、大変不便である。
【０００７】
また、前述した送風式薬剤放散装置を居住空間で使用する場面として、台所、居間、寝室など居室空間の全体処理による使用と、限られた部分の局所処理による使用に大別される。
前記局所処理場面として、害虫防除について、害虫が生息している場所、害虫による被害場所、例えばゴキブリ、アリなどの匍匐害虫の好む住処である暗くて湿気の多い場所（流しの排水溝など）、暗くて狭い場所（冷蔵庫、食器棚、レンジなどと床面との空間、壁面との空間、侵入口である穴など）などが挙げられる。
また、害虫個体や害虫集団、例えば蚊、ハエなどの飛翔害虫やゴキブリ、アリなどの匍匐害虫に向かって直接処理する、なども挙げられる。
【０００８】
前述した特許文献１に開示された送風式薬剤放散装置は、全体処理による使用に適するが、局所処理による使用には適さない。特に、狭い空間の処理による使用には適さない。
すなわち、特許文献１に開示した送風式薬剤放散装置のチャンバは幅広く、高い大きさであるから、狭い空間に挿入することができないので、狭い空間に薬剤を効率良く放散することができない。
【０００９】
本発明の目的は、複数の目的に使用でき、かつその目的を同時に達成できること、コンパクトにて持ち運び、保管できること、全体処理による使用と局所処理による使用の両方に適していること、を満足した送風式薬剤放散装置とすることである。
【課題を解決するための手段】
【００１０】
第１の発明は、吸込口１１と、吐出口１２と、第１の薬剤１５を有すると共に、ファン１３を備え、このファン１３を駆動することで前記吸込口１１から空気を吸い込んで第１の薬剤１５の薬剤を含有した空気を吐出口１２から吐出する装置本体１と、
流入口２０と流出口２１が流路２２で連通され、その流路２２に第２の薬剤２４が設けてあり、前記装置本体１に収納姿勢と張り出し姿勢に回動自在にヒンジ３で取付けた放出体２とを備え、
前記放出体２が収納姿勢の時には、その放出体２は装置本体１に重なり合い、その放出体２の流出口２１が装置本体１の近くに位置すると共に、前記装置本体１の吐出口１２が放出体２の流入口２０と連通し、
前記放出体２が張り出し姿勢の時には、前記装置本体１の吐出口１２と放出体２の流入口２０が連通し、その放出体２の流出口２１が装置本体１から離隔した位置となるようにしたことを特徴とする送風式薬剤放散装置である。
【００１１】
第２の発明は、第１の発明において、装置本体１に放出体２をヒンジ３で、収納姿勢と張り出し姿勢とに亘って上下回動自在に取付け、
前記ヒンジ３は、屈曲可能な筒形状で、その一端開口部が装置本体１の吐出口１２と連通し、他端開口部が放出体２の流入口２０と連通している送風式薬剤放散装置である。
【００１２】
第３の発明は、第１の発明において、装置本体１に放出体２をヒンジ３で、収納姿勢と張り出し姿勢とに亘って水平方向に回動自在に取付け、
前記ヒンジ３は、放出体２が収納姿勢の時及び張り出し姿勢の時に吐出口１２と流入口２０を連通する形状である送風式薬剤放散装置である。
【００１３】
第４の発明は、第１の発明において、装置本体１に放出体２をヒンジ３で、収納姿勢と張り出し姿勢とに亘って上下回動自在に取付け、
前記ヒンジ３は、放出体２が収納姿勢の時及び張り出し姿勢の時に吐出口１２と流入口２０を連通する形状である送風式薬剤放散装置。
【００１４】
第５の発明は、第１〜第４いずれか１つの発明において、放出体２の流路２２に、第２の薬剤２４を、その第２の薬剤２４の表面に沿って空気が流通するように取付けした送風式薬剤放散装置である。
【発明の効果】
【００１５】
第１の発明によれば、放出体２を収納姿勢、張り出し姿勢としてファン１３を駆動することで第１の薬剤１５の薬剤と第２の薬剤２４の薬剤を大気に放散できる。
したがって、第１の薬剤１５の薬剤と第２の薬剤２４の薬剤の両方を同時に大気に放散できるから、複数の目的に使用できるし、かつその目的を同時に達成できる。
【００１６】
また、放出体２を収納姿勢とすればコンパクトにできるから、コンパクトにして持ち運び、保管できる。
【００１７】
また、放出体２を収納姿勢とすれば全体処理による使用に適し、放出体２を張り出し姿勢とすれば局所処理による使用に適する。
【００１８】
第２の発明によれば、放出体２を収納姿勢、張り出し姿勢とした時に、筒形状のヒンジ３によって吐出口２０の開口部の全てと流入口２０の開口部の全てが連通することができるので、ファン１３の駆動による空気がスムーズに放出体２の流路２２に流れ、その空気を有効利用して第２の薬剤２４を効率良く、多量に放散することが可能である。
【００１９】
第３の発明によれば、放出体２が水平方向に回動するので、上下寸法の小さな狭い空間内で放出体２を張り出し姿勢とすることができる。
【００２０】
第４の発明によれば、放出体２が上下方向に回動するから、左右寸法の小さな狭い空間内で放出体２を張り出し姿勢とすることができる。
【００２１】
第５の発明によれば、第２の薬剤２４の表面に沿って空気が流れ、第２の薬剤２４が空気の流れ抵抗となることが少なく、ファン１３による空気流れを有効利用して薬剤を大気に効率良く放散できる。
【発明を実施するための最良の形態】
【００２２】
本発明の第１の実施の形態を図１〜図３に基づいて説明する。
装置本体１と放出体２をヒンジ３で図１、図２に示す張り出し姿勢と図３に示す収納姿勢とに亘って回動自在に連結してある。
前記装置本体１は空気流通路１０を有し、その空気流通路１０は吸込口１１と吐出口１２で外部に開口し、ファン１３を駆動することで吸込口１１から空気を吸い込み、吐出口１２から吐出する。
前記装置本体１の薬剤取付部１４に第１の薬剤１５が取付けてある。そして、前述のファン１３を駆動することで空気流通路１０を流通する空気が薬剤１５に触れて薬剤（有効成分）を含有した空気として吐出口１２から吐出する。
【００２３】
前記放出体２は長尺で扁平な筒形状で、流入口２０、流出口２１、その流入口２０と流出口２１を連通する流路２２を有している。
この放出体２には薬剤取付部２３が設けてある。例えば、前記流路２２の流入口２０側部分を薬剤取付部２３としてある。
この薬剤取付部２３には第２の薬剤２４が取付けてある。例えば筒形状の薬剤保持体に薬剤（有効成分）を含浸させた第２の薬剤２４が流入口２０から流路２２内に嵌合して取付けてある。
この第２の薬剤２４は取付け、取り外し自在で、薬剤２４を交換できるようにしてある。
【００２４】
この放出体２が図３に示す収納姿勢であると、装置本体１と放出体２は重なり合い、その放出体２の流出口２１は装置本体１の近くに位置し、その流入口２０は装置本体１の吐出口１２と連通している。
前記放出体２が図１、図２に示すように張り出し姿勢であると、放出体２の流入口２０と装置本体１の吐出口１２が連通し、流出口２１が装置本体１から離隔した位置となる。
【００２５】
このようであるから、装置本体１に対して放出体２を図３に示す収納姿勢とすると共に、ファン１３を駆動することで、第１の薬剤１５に触れて薬剤を含有した空気は装置本体１の吐出口１２から放出体２の流路２２に流入し、第２の薬剤２４に触れて第１・第２の薬剤１５，２４の薬剤を含有した空気となり、その空気が流出口２１から装置本体１の近傍から外部に放散される。
しかも、装置本体１と放出体２が重なり合い、全長が短く、設置スペースを小さくできる。
これらが相俟って、複数の目的に使用でき、かつその目的を同時に達成できると共に、全体処理による使用に適する送風式薬剤放散装置である。
例えば、居室空間のテーブル等の上に置いて居室空間全体に薬剤を放散して居室空間の全体処理に使用する際に、その薬剤を居室空間の全体に効率良く放散することができる。
【００２６】
また、前述のように装置本体１に対して放出体２を収納姿勢とすることで、装置全体がコンパクトになり、持ち運びや保管を容易にできる。
【００２７】
前記装置本体１に対して放出体２を図１、図２に示す張り出し姿勢とすると共に、ファン１３を駆動することで、前述のように第１の薬剤１５の薬剤を含有した空気は装置本体１の吐出口１２から放出体２の流入口２０に流入し、第２の薬剤２４に触れながら流れるので、第１の薬剤１５の薬剤と第２の薬剤２４の薬剤を含有した空気となり、その空気が放出体２の流出口２１から外部に放散されるから、装置本体１から遠く離れた位置（流出口２１）から第１・第２の薬剤１５，２４の薬剤を外部に放散することができる。
これらが相俟って、複数の目的に使用でき、かつその目的を同時に達成できると共に、局所処理による使用に適する送風式薬剤放散装置である。
例えば、冷蔵庫、食器棚、レンジなどの物と床面との間の上下寸法の小さな狭い空間、前記物と壁面との間の左右寸法の小さな狭い空間に、放出体２を挿入して、その狭い空間の奥に向けて薬剤を含有した空気を放出することで、その狭い空間に薬剤を効率良く放散することができる。
【００２８】
また、第２の薬剤２４は筒形状で、その表面に沿って空気が流れ、流通抵抗が大きくならないので、ファン１３による空気流れを有効利用して効率良く薬剤を放散できる。
【００２９】
次に、各部の具体形状を説明する。
前記装置本体１は、上面板１６（上面１ａ）と下面板１７（下面１ｂ）と一対の側面板１８と端面板１９で他端が開口した扁平な矩形箱形状で、その他端の開口が吐出口１２で、上面板１６に吸込口１１が形成してある。
前記装置本体１内は仕切壁１ｃでファン収容室１ｄと電池収容室１ｅに区画され、そのファン収容室１ｄにファン１３と、そのファン１３を駆動するファン１３が設けてある。
前記電池収容室１ｅには電池１ｆが設けられ、この電池１ｆによってファン１３が駆動される。
前記ファン収容室１ｄが吸込口１１と吐出口１２に開口連通して前述の空気流通路１０を形成している。
【００３０】
前記装置本体１の薬剤取付部１４は、吸込口１１の開口縁に沿って複数の突起１４ａが設けてある。
前記第１の薬剤１５はプレート状の薬剤保持体１５ａ（例えば、不織布など）に薬剤を含浸し、その薬剤保持体１５ａをハウジング１５ｂに設けてある。
このハウジング１５ｂには孔１５ｃが形成され、この孔１５ｃを前記突起１４ａに嵌合して取付けられる。
なお、ハウジング１５ｂに凸部（突起）を設け、上面板１６（上面１ａ）に凹部（孔）を設けても良い。
【００３１】
前記ヒンジ３は、屈曲可能な筒形状、例えば蛇腹状の筒形状で、直線状の姿勢と折り畳んだ姿勢とに亘って屈曲できるようにしてある。
前記ヒンジ３の一端部が装置本体１の吐出口１２の開口縁に嵌合して取付けられて一端開口部と吐出口１２が連通し、そのヒンジ３の他端部が放出体２の流入口２０の開口縁に嵌合して取付けられて他端開口部と流入口２０が連通している。
【００３２】
このようであるから、装置本体１の吐出口１２の開口部の全てがヒンジ３内に連通し、そのヒンジ３内が放出体２の流入口２０の開口部の全てと連通するから、吐出口１２からスムーズに放出体２の流入口２０に空気が流れ、第２の薬剤２４を効率良く、多量に放散することが可能である。
【００３３】
前記放出体２の上面２ａは、図３に示すように収納姿勢とした時に第１の薬剤１５（ハウジング１５ｂ）に接するので、その部分に凹溝２５を形成し、この凹溝２５に沿って第１の薬剤１５に空気が流れるようにしてある。
【００３４】
前述の実施の形態では、放出体２を１８０度回動自在として張り出し姿勢の時の放出体２が真横に向かうようにしたが、これに限ることはない。
例えば、図４、図５に示すように、放出体２をほぼ９０度回動自在として張り出し姿勢の時に放出体２が真上に向かうようにしても良い。要するに、ヒンジ３が屈曲可能な筒形状であるので、放出体２を任意の角度に回動して張り出し姿勢とすることができる。
【００３５】
前記装置本体１の薬剤取付部１４は、上面１ａの吸込口１１の周縁に沿ってリング状の突片１４ｂを設けて凹陥形状としてある。
前記第１の薬剤１５は空気が流通する薬剤容器１５ｄ内に粒状の薬剤保持体１５ｅを多数充填したものとしてある。
そして、第１の薬剤１５を凹陥形状の薬剤取付部１４に嵌め込むようにして取付ける。
【００３６】
前記装置本体１の上面１ａに放出体支持部１ｇを形成し、放出体２が収納姿勢の時には放出体２の当接部２ｂが放出体支持部１ｇに当接して第１の薬剤１５の上面と放出体２との間に隙間が形成されるようにしてある。
【００３７】
前記放出体２の薬剤取付部２３は流路２２の流出口２１寄り部分としてある。
前述第２の薬剤２４は、フランジ付きの筒状体２４ａ内に薬剤を含浸した薬剤保持体２４ｂを充填したもので、その筒状体２４ａのフランジが放出体２の流出口２１の開口端面２１ａに接するようにして取付けてある。
このようにすることで、放出体２が張り出し姿勢の時に第２の薬剤２４を取り出し、取付けできるから、交換可能である。
前述した第１の薬剤１５としては、空気が流通しやすい形状が好ましく、前述の他に、網形状、スノコ形状、ハニカム形状、などが挙げられる。
【００３８】
前記第２の薬剤２４について詳細に説明する。
前記薬剤保持体の形状としては、筒形状、棒形状、平板形状、ジャバラ形状、円弧形状、網形状、格子形状、スノコ形状、ハニカム形状、その他、袋や容器に収納した収納具形状、などが挙げられる。また、この素材としては、紙、不織布、織編物、合成樹脂、多孔物質、木材、金属、その他、乾燥及び／又は薬剤処理により加工された植物体、などが挙げられる。また、薬剤の保持処理方法としては、含浸、塗布、混合加工成型、印刷、積層、付着、その他、ハーブなどの薬効素材自体、などが挙げられる。
【００３９】
そして、第２の薬剤２４（薬剤保持体）の大きさ、形状、放出体２への取付け方、取付ける数は限定されるものではなく、薬剤の種類、薬量、保持体の材質、又は使用する目的などによって決めることができる。
【００４０】
前記第２の薬剤２４は、放出体２の流路２２内に、その薬剤保持体の外面と流路２２の内面との間に空気が流通するように設けることができる。この薬剤保持体は１つに限ることはなく、複数としても良い。その場合には複数の薬剤を幅方向に設けたり、長手方向に直列に設けることができる。
【００４１】
前記第２の薬剤２４は、その薬剤保持体がプレート形状の時には、図６（ａ）に示すように放出体２の対向した内面２ｂに溝２５を形成して薬剤取付部２３とし、その溝２５間に長手方向から嵌合して取付けできる。
また、図６（ｂ）に示すように放出体２の対向した内面２ｂに突条２６を形成し、対向した他の内面２ｃと突条２６との間に上下の薬剤取付部２３とし、その各薬剤取付部２３に長手方向から挿入して取付けできる。
また、図６（ｃ）に示すように、放出体２の隅角部２ｄを薬剤取付部２３とし、斜めに取付けできる。
また、図６（ｄ）に示すように、放出体２の対向した他の内面２ｃに複数の溝２７を相対向して形成し、複数の薬剤取付部２３とし、いずれか１つ又は複数の溝２７間に長手方向から挿入して取付けできる。
また、図示は省略するが放出体２の流入口２０の開口端面２０ａ又は流出口２１の開口端面２１ａに開口したスリットを長手方向に形成し、第２の薬剤２４をスリットに挿入して取付けることもできる。
【００４２】
また、第２の薬剤２４は放出体２の長手方向と直角方向から挿入して取付けるようにしても良い。
例えば、図７（ａ）に示すように放出体２を対向した左右の縦板３０と上横板３１と下横板３２で矩形断面の筒形状とし、その左右の縦板３０に薬剤挿通用の孔３３を相対向して形成する。
第２の薬剤２４（薬剤保持体）を一方の孔３３から挿通し、他方の孔３３から突出して左右の縦板３０に跨って支持して取付ける。
【００４３】
前述のようにして取付ける場合に、第２の薬剤２４は上板３１、下板３２と平行で、上板３１の内面３１ａ、下板３２の内面３２ａとの間に隙間があり、その隙間を通って空気が流通する。
【００４４】
なお、図示は省略するが前述の薬剤挿通用の孔３３を上板３１と下板３２に連続する斜めの形状とし、第２の薬剤２４が斜めとなって上下板３１，３２の内面３１ａ，３２ａに接するようにしたり、前記薬剤挿通用の孔３３を上板３１の内面３１ａ、下板３２の内面３２ａまで連続すると共に、その上下板３１，３２の内面３１ａ，３２ａに孔３３と連続した溝を形成し、第２の薬剤２４をその溝に嵌まり込むようにして取付けても良い。
この場合には、放出体２の流路２２が第２の薬剤２４で閉塞され、空気は第２の薬剤２４を通過して流通する。
【００４５】
また、図７（ｂ）に示すように、放出体３１に薬剤挿通用の孔３４を形成し、第２の薬剤２４を矢印で示すように孔３４から挿入して下板３２の内面３２ａに接するようにして取付けても良い。
この場合には、左右の縦板３０の内面３０ａと第２の薬剤２４との間に隙間があり、その隙間を通って空気が流通する。
【００４６】
また、図示は省略するが、前述の孔３４を上板３１と左右の縦板３０とに連続して長手方向と直角方向に形成し、第２の薬剤２４を上から孔３４に挿入して取付けるようにしても良い。
この場合には、放出体２の流路２２が第２の薬剤２４で閉塞され、空気は第２の薬剤２４を通過して流通する。
【００４７】
前記第２の薬剤２４は、図８、図９に示すように放出体２に取付けても良い。
前記放出体２の上板３１に開口部３５を形成すると共に、下板３２の内面３２ａに凹部３６を形成し、第２の薬剤２４を開口部３５から挿入して凹部３６に嵌合して取付け、前記開口部３５を蓋３７で閉塞する。
また、図示は省略するが左右一方の縦板３０に開口部を形成し、左右他方の縦板３０の内面に凹部を形成し、第２の薬剤２４を開口部から挿入して凹部に嵌合することで取付けるようにしても良い。
【００４８】
このようにすれば、開口部３５が蓋３７で閉塞され、第２の薬剤２４が開口部３５から外気に触れることがないので、無駄な薬剤の放散が低減する。
【００４９】
また、図示は省略するが、放出体２の流路２２内に、複数の第２の薬剤２４を長手方向に並設して取付けても良い。
【００５０】
前記第１の薬剤１５は、図４に示す凹陥形状の薬剤取付部１４に合致した形状に成形した薬剤保持体のみとし、その薬剤保持体を薬剤取付部１４に嵌合して取付けるようにしても良い。
また、第１の薬剤１５はファン１３に取付けしても良い。この場合には装置本体１からファン１３を取り出し可能としたり、第１の薬剤１５をファン１３まで挿入したり、取り出したりできるようにする。
【００５１】
前記装置本体１、放出体２の高さ、幅は任意なものとすることができる。
例えば、装置本体１の高さよりも放出体２の高さが小さくしても良い。
このようにすれば、より狭い隙間に放出体２を挿入できる。
この場合には、装置本体１の上面板１６における吐出口１２寄りを斜めとして吐出口１２と流入口２０の高さ寸法を同一とする。
【００５２】
また、放出体２の流入口２０側部分の高さを装置本体１の高さと同一とし、その放出体２の他の部分の高さを装置本体１の高さよりも小さくしても良い。
また、放出体２の流入口２０側部分の高さを装置本体１の高さと同一とし、流出口２１側部分に向けて順次高さが小さくなった高さ方向に先細り形状としても良い。
また、放出体２の流入口２０側部分の幅を大きく、流出口２１側部分に向けて順次幅が小さくなった幅方向に先細り形状としても良い。
また、装置本体１の幅よりも放出体２の幅を小さくしても良い。この場合には吐出口１２の開口幅を小さくして放出体２の流入口２０の開口幅と同一とする。
前述のようにすることで、放出体２の流出口２１の開口面積を流入口２０の開口面積よりも小さくすれば、第２の薬剤２４を含有した空気を１ヶ所に向けて集中的に放出することができる。
これによって、放出体２の流出口２１から害虫個体などの標的に向けて薬剤を確率良く放散できる。
【００５３】
前述の実施の形態では、放出体２の収納姿勢を、装置本体１の上面１ａに重なり合うようにしたが、放出体２を装置本体１の下面１ｂに重なり合うようにしても良い。
【００５４】
前記ヒンジ３は図１０〜図１３に示すようにしても良い。
放出体２の流入口２０側に端面板３８を形成し、この端面板３８を左右の縦板３０と連続した半円形状とすると共に、上板３１と下板３２には孔３９をそれぞれ形成する。
装置本体１の吐出口１２に有底の筒体４０を取付け、この筒体４０の外周面に前記孔３９と端面板３８を回転自在に接し、放出体２を水平方向に回動自在とするヒンジ３とする。
この筒体４０には第１・第２補助流出口４１，４２を径方向に対向して形成する。
【００５５】
そして、放出体２が図１０に示すように張り出し姿勢の時には、図１０、図１２に示すように、第１補助流入口４１が放出体２の流入口２０と連通すると共に、端面板３８で第２補助流出口４２は遮断される。
これによって、ファン１３による空気は吐出口１２、筒体４０の内部、補助流入口４１を経て放出体２の流入口２０に流通する。
【００５６】
前記放出体２を図１１に示すように収納姿勢に回動すると、図１１と図１３に示すように、第２補助流入口４２が流入口２０に連通すると共に、第１補助流出口４１が端面板３８で遮断される。
これによって、ファン１３による空気は吐出口１２、筒体４０の内部、第２補助流出口４２を経て流入口２０に流通する。
【００５７】
また、放出体２は水平方向に回動するから、前述した上下寸法の小さな狭い空間内で張り出し姿勢とすることができる。
【００５８】
この実施の形態の場合でも、第１の薬剤１５、第２の薬剤２４は前述の第１の実施の形態と同様に種々のものを用いることができる。
【００５９】
また、前述の実施の形態では放出体２を水平方向に回動自在とするヒンジ３を通して空気を流通するようにしたが、放出体２を上下方向に回動自在とするヒンジ３を通して放出体２に空気を流通するようにしても良い。
例えば、図１４〜図１６に示すように装置本体１の上面板１６に吐出口１２を形成し、その吐出口１２の開口縁に、幅方向一対の第１立上り板５０，５０と長手方向一対の第２立上り板５１，５１を矩形状に連続して設ける。
前記一対の第１立上り板５０に透孔５２をそれぞれ形成する。
前記放出体２の流入口側に円弧状の取付部6０を形成する。
この取付部６０は、左右の縦板３０と連続したほぼ円形の縦片６１と、この左右の縦片６１を連続して流入口２０を閉塞する円弧状の端面板６２を有し、その端面板６２に開口部６３を形成して流入口２０とすると共に、各縦片６１に円形の凹部６４を形成する。
【００６０】
前記放出体２の取付部６０を装置本体１の吐出口１２内に嵌め込み、軸５３を透孔５２から凹部６４に嵌合して放出体２を装置本体１に上下回動自在に取付けると共に、吐出口１２が取付部６０で閉塞されるようにする。
例えば、縦片６１が第１立上り板５０の内面に接し、端面板６２が一対の第２立上り板５１に接する。なお、一対の第２立上り板５１における端面板６２が接する部分を前記軸５３を中心とする円弧状とすることが好ましい。
【００６１】
そして、放出体２を図１５に示すように収納姿勢に回動すると、端面板６２の開口部６３（流入口２０）が吐出口１２に連通し、吐出口１２が放出体２の流路２２に連通する。
また、放出体２を図１６に示すように縦向きの張り出し姿勢とすると、端面板６２の開口部６３が吐出口１２に連通し、吐出口１２が放出体２の流路２２に連通する。
【００６２】
この実施の形態においても第１・第２の薬剤１５，２４は前述の第１の実施の形態と同様に種々のものを用いることができる。
【００６３】
また、放出体２が上下方向に回動するから、前述の左右寸法の小さな狭い空間で放出体２を張り出し姿勢に回動できる。
【００６４】
前述の説明では放出体２が張り出し姿勢の時に、装置本体１に対して収納姿勢からほぼ１８０度回動したが、ほぼ９０度回動して張り出し姿勢としても良いし、ほぼ９０度〜１８０度の範囲で回動して張り出し姿勢としても良い。
【００６５】
前述の複数の目的について、例えば、異なる目的及び異なる薬剤として、害虫防除と消臭、害虫防除と芳香、害虫防除と防菌防黴、消臭と芳香、消臭と防菌防黴、などが挙げられる。また、同一目的及び異なる薬剤として、害虫防除では、種類の違う害虫に対する各々の殺虫剤、害虫の侵入防止と侵入害虫の殺虫に対する忌避剤と殺虫剤、害虫に対する殺虫剤とその殺虫剤の効力増強剤、害虫に対する遅効性殺虫剤と即効性殺虫剤、害虫の各成長段階（卵、蛹、幼虫、成虫）に対する各々の殺虫剤、などが挙げられる。また、害虫防除以外では、悪臭源の臭いの種類に応じた各々の殺虫剤、香りの種類の違う各々の芳香剤、などが挙げられる。
【図面の簡単な説明】
【００６６】
【図１】本発明の第１の実施の形態を示す放出体が張り出し姿勢の時の断面図である。
【図２】本発明の第１の実施の形態を示す放出体が張り出し姿勢の時の平面図である。
【図３】本発明の第１の実施の形態を示す放出体が収納姿勢の時の断面図である。
【図４】本発明の第２の実施の形態を示す放出体が張り出し姿勢の時の断面図である。
【図５】本発明の第２の実施の形態を示す放出体が収納姿勢の時の断面図である。
【図６】第２の薬剤を放出体に長手方向から挿入して取付ける実施の形態である。
【図７】第２の薬剤を放出体に長手方向と直角方向から挿入して取付ける実施の形態である。
【図８】第２の薬剤を放出体に上から挿入して取付ける実施の形態の取り出し状態の斜視図である。
【図９】取付けた状態の断面図である。
【図１０】本発明の第３の実施の形態を示す放出体が張り出し姿勢の時の断面図である。
【図１１】本発明の第３の実施の形態を示す放出体が収納姿勢の時の断面図である。
【図１２】図１０のＡ−Ａ断面図である。
【図１３】図１１のＢ−Ｂ断面図である。
【図１４】本発明の第４の実施の形態を示す分解斜視図である。
【図１５】本発明の第４の実施の形態を示す放出体が収納姿勢の時の断面図である。
【図１６】本発明の第４の実施の形態を示す放出体が張り出し姿勢の時の断面図である。
【符号の説明】
【００６７】
１…装置本体、２…放出体、３…ヒンジ、１１…吸込口、１２…吐出口、１３…ファン、１４…薬剤取付部、１５…第１の薬剤、２０…流入口、２１…流出口、２２…流路、２３…薬剤取付部、２４…第２の薬剤。
【図１】
2008278770.tif 000003
【図２】
2008278770.tif 000004
【図３】
2008278770.tif 000005
【図４】
2008278770.tif 000006
【図５】
2008278770.tif 000007
【図６】
2008278770.tif 000008
【図７】
2008278770.tif 000009
【図８】
2008278770.tif 000010
【図９】
2008278770.tif 000011
【図１０】
2008278770.tif 000012
【図１１】
2008278770.tif 000013
【図１２】
2008278770.tif 000014
【図１３】
2008278770.tif 000015
【図１４】
2008278770.tif 000016
【図１５】
2008278770.tif 000017
【図１６】
2008278770.tif 000018